(57)【要約】【課題】着用時に起きる蒸れた感じを軽減して着心地が向上されたレインウェアの提供。【解決手段】少なくとも１つの貫通開口３１０が設けられた後身頃３１と、後身頃３１の左右両端からそれぞれ前方に延伸するように形成された左右一対の前身頃３２とを有する身頃部３と、一対の前身頃３２にそれぞれ固着されており、着脱自在に噛み合う一対の線ファスナー部材６１を有するファスナー部６と、貫通開口３１０を覆うように後身頃３１に設けられたメッシュ体４と、後身頃３１の外側でメッシュ体４を覆うようにその一部が後身頃３１に固定されていると共に、メッシュ体４および後身頃３１との間に外部に開口する通気空間を画成している遮蔽シートとを具えていることを特徴とするレインウェアを提供する。【選択図】図１
0003190414.tif 000002
【実用新案登録請求の範囲】
【請求項１】
少なくとも１つの貫通開口が設けられた後身頃と、前記後身頃の左右両端からそれぞれ前方に延伸するように形成された左右一対の前身頃とを有する身頃部と、
前記一対の前身頃にそれぞれ固着されており、着脱自在に噛み合う一対の線ファスナー部材を有するファスナー部と、
網状に形成されており前記貫通開口を覆うように前記後身頃に設けられたメッシュ体と、
前記後身頃の外側で前記メッシュ体を覆うようにその一部が前記後身頃に固定されていると共に、前記メッシュ体および前記後身頃との間に外部に開口する通気空間を画成している遮蔽シートと、
を具えていることを特徴とするレインウェア。
【請求項２】
前記線ファスナー部材は、それぞれ熱溶着により各前記前身頃に固着されていることを特徴とする請求項１に記載のレインウェア。
【請求項３】
前記身頃部は、前記一対の前身頃の内のいずれか一方の前記前身頃の前縁から延伸して他方の前記前身頃の外表面と重なると共に前記ファスナー部を遮蔽するように設けられた延伸遮蔽部を更に有することを特徴とする請求項１または２に記載のレインウェア。
【請求項４】
前記延伸遮蔽部を前記他方の前記前身頃の外表面に着脱自在に固定する着脱手段を少なくとも１つ具えていることを特徴とする請求項３に記載のレインウェア。
【請求項５】
前記着脱手段は、前記他方の前記前身頃に固定されている第１の固定部材と、前記延伸遮蔽部に固定されており前記第１の固定部材と着脱自在に連結できる第２の固定部材を有することを特徴とする請求項４に記載のレインウェア。
【請求項６】
前記着脱手段は、前記延伸遮蔽部の上端に固定されていると共に前記他方の前記前身頃に向かって延伸している帯状部を更に有しており、前記第２の固定部材は、前記帯状部の延伸端に設けられていることを特徴とする請求項５に記載のレインウェア。
【考案の詳細な説明】
【技術分野】
【０００１】
本考案は、よりよい着心地を提供できるように構成されたレインウェアに関するものである。
【背景技術】
【０００２】
片手がふさがる傘に対して、両手が空くレインウェア（上下つながりのレインコート、上下別々のレインスーツを含む）は、雨中で作業する際や二輪車を運転する際に着用される場合が多い。レインウェアは、雨水を通さないように通常は軟質の合成樹脂材料でできている。
【考案の概要】
【考案が解決しようとする課題】
【０００３】
しかしながら、従来のレインウェアは、全身または半身を完全に覆い包むようにできている上に通気性がないため、着用時に蒸れやすい。例えばレインウェアを着て自転車に乗ると、熱気と湿気がレインウェア内にこもって着心地が悪化する。
本考案は、上記従来技術の問題点に鑑みてなされたものであり、その目的は、着用時に起きる蒸れた感じを大幅に軽減して着心地が向上されたレインウェアの提供にある。
【課題を解決するための手段】
【０００４】
上記目的を達成するための手段として、本考案は、以下の手段を提供する。
即ち、少なくとも１つの貫通開口が設けられた後身頃と、前記後身頃の左右両端からそれぞれ前方に延伸するように形成された左右一対の前身頃とを有する身頃部と、
前記一対の前身頃にそれぞれ固着されており、着脱自在に噛み合う一対の線ファスナー部材を有するファスナー部と、
網状に形成されており前記貫通開口を覆うように前記後身頃に設けられたメッシュ体と、
前記後身頃の外側で前記メッシュ体を覆うようにその一部が前記後身頃に固定されていると共に、前記メッシュ体および前記後身頃との間に外部に開口する通気空間を画成している遮蔽シートと、を具えていることを特徴とするレインウェアを提供する。
また、本考案に係るレインウェアは、前記線ファスナー部材がそれぞれ熱溶着により各前記前身頃に固着されていることが好ましい。
また、前記身頃部は、前記一対の前身頃の内のいずれか一方の前記前身頃の前縁から延伸して他方の前記前身頃の外表面と重なると共に前記ファスナー部を遮蔽するように設けられた延伸遮蔽部を更に有することが好ましい。
また、前記延伸遮蔽部を前記他方の前記前身頃の外表面に着脱自在に固定する着脱手段を少なくとも１つ具えているとよい。
更に、前記着脱手段は、前記他方の前記前身頃に固定されている第１の固定部材と、前記延伸遮蔽部に固定されており前記第１の固定部材と着脱自在に連結できる第２の固定部材を有することが好ましい。
加えて、前記着脱手段は、前記延伸遮蔽部の上端に固定されていると共に前記他方の前記前身頃に向かって延伸している帯状部を更に有しており、前記第２の固定部材は、前記帯状部の延伸端に設けられているとよい。
【考案の効果】
【０００５】
上記手段によれば、前記後身頃に前記貫通開口が設けられている上に、前記貫通開口を覆う前記メッシュ体、前記メッシュ体を覆うと共に前記貫通開口を介して前記身頃部の内部空間と連通すると共に外部への開口を有する通気空間を画成する前記遮蔽シートがそれぞれ設けられているので、レインウェア内における熱気を前記貫通開口から外部に放出することができ、着用時に起きる蒸れた感じが大幅に軽減されて着心地が向上されたレインウェアを提供することができる。
【図面の簡単な説明】
【０００６】
【図１】本考案に係るレインウェアの一実施形態を示す斜視図である。
【図２】本考案に係るレインウェアの一実施形態を示す部分正面図である。
【図３】本考案に係るレインウェアの一実施形態を示す部分背面図である。
【図４】本考案に係るレインウェアの一実施形態を示す部分断面図である。
【考案を実施するための形態】
【０００７】
以下、添付図面を参照しながら、本考案に係るレインウェアの具体的な一実施形態を詳細に説明する。
図１に斜視図で、図３に背面図で、図４に断面図で示されているように、本実施形態に係るレインウェアは、身頃部３と、網状に形成されて身頃部３に設けられているメッシュ体４と、メッシュ体４を外側から覆うように身頃部３に設けられている遮蔽シート５と、それぞれ身頃部３に固定されているファスナー部６と着脱手段７とを具えている。なお、以下の説明における左右とは、着用者から見た場合の左右である。
身頃部３は、水を通さないように合成樹脂を材料としており、例えばポリエチレン（ＰＥ）、ポリ塩化ビニル（ＰＶＣ）、ナイロン、エチレン酢酸ビニル（ＥＶＡ）、ポリエチレン酢酸ビニル（ＰＥＶＡ）などからできている。
また、身頃部３は、上下に長く延伸するように形成されており着用者の背中側を覆う後身頃３１と、後身頃３１の左右両端からそれそれ前方に延伸するように形成された左右一対の前身頃３２、３２と、左右いずれか一方（図示では左側）の前身頃３２（以下、単に「一方の前身頃３２」）の前縁から延伸して他方（図示では右側）の前身頃３２（以下、単に「他方の前身頃３２」）の外表面と重なる延伸遮蔽部３３と、左右の前身頃３２、３２と後身頃３１が接する箇所からそれぞれ外側に延伸するように形成されており着用者が腕を通す左右一対の袖部３５、３５と、後身頃３１、前身頃３２および延伸遮蔽部３３それぞれの上端に据え付けられており着用者の頭部を覆うフード３４とからなっている。
後身頃３１の上端近くには、図１および図３に示されているように、後身頃３１を前後に貫通する貫通開口３１０が設けられており、メッシュ体４は、この貫通開口３１０を覆うように後身頃３１に固定されている。
【０００８】
遮蔽シート５は、水を通さないように合成樹脂からできており、図３および図４に示されているように、メッシュ体４を上から覆うように、その上辺と左右両辺とが後身頃３１の外表面に固定されている。また、遮蔽シート５の下辺は後身頃３１に固定されておらず垂れ下がった状態になっており、遮蔽シート５と、メッシュ体４および後身頃３１との間には、貫通開口３１０を介してレインウェアの内部空間３０と連通すると共に下方に向かって外部に開口する通気空間５０が画成されている。なお、図３の背面図は遮蔽シート５を透視して示したものであり、実際に背面から見た場合、貫通開口３１０およびメッシュ体４は遮蔽シート５により遮蔽されている。
ファスナー部６は、図１および図２に示されているように、上下に長く延伸していると共に左右一対の前身頃３２、３２の前縁付近にそれぞれ固着されており着脱自在に噛み合う左右一対の線ファスナー部材６１、６１を有する。なお、本実施形態では、線ファスナー部材６１、６１は、それぞれのテープ部が高周波熱溶着により左右の前身頃３２、３２に固着されている。線ファスナー部材６１、６１同士が噛み合わされることにより、左右の前身頃３２、３２が合わされる。また、身頃部３の延伸遮蔽部３３は、線ファスナー部材６１、６１同士が噛み合わされた際にファスナー部６全体を外側から遮蔽する。
着脱手段７は、延伸遮蔽部３３を、上記他方（図示では右側）の前身頃３２の外表面に着脱自在に固定するために設けられるものである。具体的には、着脱手段７は、上記他方の前身頃３２の外表面上端付近に固定されている第１の固定部材７１と、その一端が延伸遮蔽部３３の上端に固定されていると共に他端側が上記他方の前身頃３２に向かって延伸している帯状部７２と、帯状部７２の延伸端に固定されており第１の固定部材７１と着脱自在に連結できる第２の固定部材７３とを有する。
第２の固定部材７３を第１の固定部材７１に連結させることにより、帯状部７２および延伸遮蔽部３３の少なくとも上端付近を上記他方の前身頃３２に固定することができ、これにより延伸遮蔽部３３が例えば風などの外力により捲れあがることを防ぐことができる。
【０００９】
本実施形態においては、第１の固定部材７１および第２の固定部材７３として一組のスナップボタンを用いたが、例えば面ファスナーを用いることも可能である。更に、本実施形態では、着脱手段７を前身頃３２の上端付近に１つ設けたが、延伸遮蔽部３３の上記他方の前身頃３２への固定をより安定させるために、着脱手段７を前身頃３２における異なる箇所に複数設けてもかまわない。
図１、図２、図４に示されているように、本実施形態に係るレインウェアを着用する際には、まず袖部３５に腕を通して身頃部３を身に付けた後に、ファスナー部６の一対の線ファスナー部材６１、６１を噛み合わせて左右両方の前身頃３２、３２を合わせる。その後、フード３４を着用してから帯状部７２に設けられている第２の固定部材７３を上記他方の前身頃３２に設けられている第１の固定部材７１に連結して、延伸遮蔽部３３がファスナー部６を外側から覆うようにすることで着用が完成する。
本実施形態に係るレインウェアは、上述のように後身頃３１の上端近くに貫通開口３１０が設けられているので、着用した際にレインウェアの内部空間３０にこもる熱気や湿気は、貫通開口３１０から後身頃３１の外側の通気空間５０に排出されて通気空間５０下方における開口から外部に排出される。また、貫通開口３１０を上から覆う遮蔽シート５が設けられており、雨水が通気空間５０に入り込むことが防がれているが、外部の空気は通気空間５０に入り込みひいてはレインウェアの内部空間３０にまで入り込む。このように、本実施形態に係るレインウェアの構成によれば、着用時に、熱気と湿気が外部に排出されると共に外部の空気が内部に入り込むので、従来のレインウェアにおける着用時の熱気や蒸れた感じによる不快感を大幅に抑えることができる。
【００１０】
以上のように、本実施形態に係るレインウェアは、身頃部３の後身頃３１に貫通開口３１０を設けた上に、メッシュ体４と遮蔽シート６とを配したことにより、内部空間３０で発生した熱気を外部に発散することができるので、蒸れた感じが軽減され、着心地が大幅に改善されている。また、ファスナー部６の各線ファスナー部材６１は、身頃部３に熱溶着により直接固着されているので、ファスナー部６と身頃部３との連結強度が強く壊れにくいだけでなく、雨水がファスナー部６と身頃部３との間から内部に侵入することが防がれており、この点も、着心地の改善に寄与している。
【００１１】
以上、本考案の好ましい実施形態を説明したが、本考案はこれに限定されるものではなく、その要旨を逸脱しない範囲で種々変更可能であることはいうまでもない。
例えば、本実施形態では、当該レインウェアを上下一繋がりのレインコートとして説明したが、これに限らず、上下別々のレインスーツとして構成することも可能である。また、本実施形態では貫通開口３１０を一つだけ設けたが、これに限らず、貫通開口３１０を後身頃３１に複数個設けてもよく、この場合、メッシュ体４および遮蔽シート５も対応して複数個設けてもよい。
また例えば、本実施形態においては、フード３４は、後身頃３１と前身頃３２と延伸遮蔽部３３それぞれの上端と一体に設けたが、取り外せるように構成することも可能である。また、着脱手段７の帯状部７２を設けずに、第２の固定部材７３を前身頃３２に直接設けても構わない。
【産業上の利用可能性】
【００１２】
本考案に係るレインウェアは、雨中での作業時にも心地よく着用できる雨具として有用である。
【符号の説明】
【００１３】
３      身頃部
３０    内部空間
３１    後身頃
３１０  貫通開口
３２    前身頃
３３    延伸遮蔽部
３４    フード
３５    袖部
４      メッシュ体
５      遮蔽シート
５０    通気空間
６      ファスナー部
６１    線ファスナー部材
７      着脱手段
７１    第１の固定部材
７２    帯状部
７３    第２の固定部材
【図１】
0003190414.tif 000003
【図２】
0003190414.tif 000004
【図３】
0003190414.tif 000005
【図４】
0003190414.tif 000006